(57)【特許請求の範囲】
【請求項１】
被検物に照射した測定光の戻り光に基づいて収差を測定する測定装置であって、
前記被検物を撮影するための撮影光を発生させる撮影光源と、
収差を測定するための測定光を発生させる測定光源と、
前記撮影光の光路と前記測定光の光路とを分岐する光路分岐手段と、
前記光路分岐手段に対して前記被検物よりも前記撮影光源の側に設けられ、前記撮影光を前記被検物に合焦させる撮影光合焦手段と、
前記光路分岐手段に対して前記被検物よりも前記測定光源の側に設けられ、前記撮影光合焦手段とは異なる合焦手段であって、前記測定光を前記被検物に合焦させる測定光合焦手段と、
特定の被検物の識別情報に対応する前記撮影光合焦手段の状態を示す情報及び前記撮影光合焦手段とは異なる合焦手段の状態を示す情報を記憶部から取得する取得手段と、
前記撮影光合焦手段の状態を示す情報に基づいて前記撮影光合焦手段を制御し、前記撮影光合焦手段とは異なる合焦手段の状態を示す情報に基づいて前記撮影光合焦手段とは異なる合焦手段を制御する制御手段と、
を有することを特徴とする測定装置。
【請求項２】
前記制御手段は、前記撮影光合焦手段の状態を示す情報が示す前記撮影光合焦手段の状態を光軸における前記撮影光合焦手段の初期位置として合焦位置の探索を開始させ、前記測定光合焦手段の状態を示す情報が示す前記測定光合焦手段の状態を光軸における前記測定光合焦手段の初期位置として合焦位置の探索を開始させることを特徴とする請求項１に記載の測定装置。
【請求項３】
前記測定光合焦手段を経由した前記測定光に基づいて収差を測定する収差測定手段を更に有し、
前記収差を測定した際の前記測定光合焦手段の状態を示す情報を前記被検物の識別情報と関連付けて前記記憶部に記憶させるように構成されることを特徴とする請求項１または２に記載の測定装置。
【請求項４】
前記制御手段は、前記測定光合焦手段の制御を継続して行い、
前記測定された収差の値が特定の基準を満たす際の前記測定光合焦手段の状態に基づいて前記記憶部に記憶させるための前記測定光合焦手段の状態を示す情報を生成する生成手段を更に有することを特徴とする請求項１乃至３のいずれか１項に記載の測定装置。
【請求項５】
少なくとも前記測定光源及び前記測定光合焦手段を内蔵する測定部の前記被検物に対する位置を変更する変更手段を更に有し、
前記測定の際の前記測定部の位置を前記被検物の識別情報と関連付けて前記記憶部に記憶させるように構成されることを特徴とする請求項１乃至４のいずれか１項に記載の測定装置。
【請求項６】
前記制御手段は、特定の被検物の識別情報に対応して前記記憶部に記憶された情報に基づく制御を行うことを特徴とする請求項１乃至５のいずれか１項に記載の測定装置。  
【請求項７】
前記被検物は、被検者の被検眼であることを特徴とする請求項１乃至６のいずれか１項に記載の測定装置。
【請求項８】
前記被検者の頭部の位置を調整するための調整部を更に有し、
前記測定の際の前記調整部の位置を前記被検者の識別情報と関連付けて前記記憶部に記憶させるように構成されることを特徴とする請求項７に記載の測定装置。
【請求項９】
前記被検眼の視度の情報を前記撮影光合焦手段の状態を示す情報及び前記測定光合焦手段の状態を示す情報として前記記憶部に記憶させるように構成されることを特徴とする請求項７に記載の測定装置。
【請求項１０】
前記測定光が前記被検眼の中心から偏心して入射されるように構成されることを特徴とする請求項７乃至９のいずれか１項に記載の測定装置。
【請求項１１】
被検者の被検眼からの戻り光に基づいて収差を測定する測定装置であって、
前記被検眼を撮影するための撮影光を発生させる撮影光源と、
前記撮影光の光路と固視灯の光路とを分岐する光路分岐手段と、
前記光路分岐手段に対して前記被検眼よりも前記撮影光源の側に設けられ、前記撮影光を前記被検眼に合焦させる撮影光合焦手段と、
前記光路分岐手段に対して前記被検眼よりも前記固視灯の側に設けられ、前記撮影光合焦手段とは異なる合焦手段であって、固視灯からの光を前記被検眼に合焦させる固視灯合焦手段と、
特定の被検者の識別情報に対応する前記撮影光合焦手段の状態を示す情報及び前記撮影光合焦手段とは異なる合焦手段の状態を示す情報を記憶部から取得する取得手段と、
前記撮影光合焦手段の状態を示す情報に基づいて前記撮影光合焦手段を制御し、前記撮影光合焦手段とは異なる合焦手段の状態を示す情報に基づいて前記撮影光合焦手段とは異なる合焦手段を制御する制御手段と、
を有することを特徴とする測定装置。
【請求項１２】
前記測定された収差に基づいて収差を補正する収差補正手段と、
前記撮影光合焦手段及び前記収差補正手段を経由した前記撮影光に基づいて、前記被検眼の第一の画像を得る撮影手段と、
を更に有することを特徴とする請求項７乃至１１のいずれか１項に記載の測定装置。
【請求項１３】
前記測定された収差に基づいて状態が変更された後の前記収差補正手段の状態を前記被検者の情報と関連付けて前記記憶部に記憶させるように構成されることを特徴とする請求項１２に記載の測定装置。
【請求項１４】
前記第一の画像の撮影の際の前記撮影光合焦手段の状態を前記被検者の識別情報と関連付けて前記記憶部に記憶させるように構成されることを特徴とする請求項１２または１３に記載の測定装置。
【請求項１５】
前記第一の画像よりも広画角の画像を撮影するための第二の撮影光を前記被検眼に照射する第二の撮影光源と、
前記第二の撮影光源からの光を前記被検眼に合焦させる第二の撮影光合焦手段と、
前記第二の撮影光合焦手段を経由した前記第二の撮影光源からの光を検出して前記被検眼の第二の画像を得る第二の撮影手段と、を更に有し、
前記第一の画像の撮影の際の前記撮影光合焦手段の状態と、前記第二の画像の撮影の際の前記第二の撮影光合焦手段の状態とを前記被検者の識別情報と関連付けて前記記憶部に記憶させるように構成されることを特徴とする請求項１２乃至１４のいずれか１項に記載の測定装置。
【請求項１６】
前記撮影光合焦手段は、光軸に沿って移動可能な撮影光合焦レンズであり、
前記撮影光合焦手段とは異なる合焦手段は、光軸に沿って移動可能な前記撮影光合焦レンズとは異なる合焦レンズであり、
前記取得手段は、前記光軸における前記撮影光合焦レンズの位置を、前記撮影光合焦手段の状態を示す情報として取得し、前記光軸における前記撮影光合焦レンズとは異なる合焦レンズの位置を、前記撮影光合焦手段とは異なる合焦手段の状態を示す情報として取得し、
前記制御手段は、前記取得された前記撮影光合焦レンズの位置に基づいて、前記光軸に沿って前記撮影光合焦レンズを移動させ、前記取得された前記撮影光合焦レンズとは異なる合焦レンズの位置に基づいて、前記光軸に沿って前記撮影光合焦レンズとは異なる合焦レンズを移動させることを特徴とする請求項１乃至１５のいずれか１項に記載の測定装置。
【請求項１７】
被検者の被検眼に照射する測定光を被検眼に合焦させる測定光合焦手段と、
前記合焦手段を経由した測定光の戻り光に基づいて収差を測定する収差測定手段と、
前記収差測定手段により測定された収差に基づいて前記収差を補正する補償光学系と、第一の画像を撮影するための第一の光を被検眼に照射する第一の撮影光源と、
前記第一の撮影光源からの光を前記被検眼に合焦させる第一の撮影光合焦手段と、
前記補償光学系及び前記第一の撮影光合焦手段を経由した前記第一の撮影光源からの光を検出して前記被検眼の第一の画像を得る第一の撮影手段と、
前記第一の画像よりも広画角の画像を撮影するための第二の光を被検眼に照射する第二の撮影光源と、
前記第二の撮影光源からの光を前記被検眼に合焦させる第二の撮影光合焦手段と、
前記第二の撮影光合焦手段を経由した前記第二の撮影光源からの光を検出して前記被検眼の第二の画像を得る第二の撮影手段と、
前記測定光合焦手段、前記収差測定手段、前記補償光学系、前記第一及び第二の撮影光源、前記第一の及び第二の撮影光合焦手段ならびに前記第一及び第二の撮影手段を内蔵する筐体と、
前記筐体の位置を変更する変更手段と、
前記被検者の頭部の位置を調整するための顎受け部と、
前記第一の画像の撮影の際の、前記測定光合焦手段の状態、前記第一の撮影光合焦手段の状態、前記第二の撮影光合焦手段の状態、前記筐体の位置、及び前記顎受け部の位置の少なくともいずれかを前記被検眼の識別情報と関連付けて記憶部に記憶させる記憶手段と、
を有することを特徴とする眼科撮影装置。
【請求項１８】
被検物を撮影するための撮影光を発生させる撮影光源と、収差を測定するための測定光を発生させる測定光源と、前記撮影光の光路と前記測定光の光路とを分岐する光路分岐手段と、前記光路分岐手段に対して前記被検物よりも前記撮影光源の側に設けられ、前記撮影光を前記被検物に合焦させる撮影光合焦手段と、前記光路分岐手段に対して前記被検物よりも前記測定光源の側に設けられ、前記撮影光合焦手段とは異なる合焦手段であって、前記測定光を前記被検物に合焦させる測定光合焦手段と、を有し、前記被検物に照射した測定光の戻り光に基づいて収差を測定する測定装置の制御方法であって、
特定の被検物の識別情報に対応する前記撮影光合焦手段の状態を示す情報及び前記撮影光合焦手段とは異なる合焦手段の状態を示す情報を記憶部から取得するステップと、
前記撮影光合焦手段の状態を示す情報に基づいて前記撮影光合焦手段を制御するステップと、
前記撮影光合焦手段とは異なる合焦手段の状態を示す情報に基づいて前記撮影光合焦手段とは異なる合焦手段を制御するステップと、
を有することを特徴とする制御方法。
【請求項１９】
被検者の被検眼を撮影するための撮影光を発生させる撮影光源と、前記撮影光の光路と固視灯の光路とを分岐する光路分岐手段と、前記光路分岐手段に対して前記被検眼よりも前記撮影光源の側に設けられ、前記撮影光を前記被検眼に合焦させる撮影光合焦手段と、前記光路分岐手段に対して前記被検眼よりも前記固視灯の側に設けられ、前記撮影光合焦手段とは異なる合焦手段であって、固視灯からの光を前記被検眼に合焦させる固視灯合焦手段と、を有し、前記被検眼からの戻り光に基づいて収差を測定する測定装置の制御方法であって、
特定の被検者の識別情報に対応する前記撮影光合焦手段の状態を示す情報及び前記撮影光合焦手段とは異なる合焦手段の状態を示す情報を記憶部から取得するステップと、
前記撮影光合焦手段の状態を示す情報に基づいて前記撮影光合焦手段を制御するステップと、
前記撮影光合焦手段とは異なる合焦手段の状態を示す情報に基づいて前記撮影光合焦手段とは異なる合焦手段を制御するステップと、
を有することを特徴とする制御方法。
【請求項２０】
請求項１８または１９に記載の制御方法をコンピュータに実行させるための、コンピュータ読み取り可能なプログラム。
【発明の詳細な説明】
【技術分野】
【０００１】
本発明は、光画像撮像装置に関し、特に眼科診療等に用いられる光画像撮像装置に関するものである。
【背景技術】
【０００２】
共焦点レーザー顕微鏡の原理を利用した眼科装置である走査型レーザー検眼鏡（ＳＬＯ：Ｓｃａｎｎｉｎｇ  Ｌａｓｅｒ  Ｏｐｈｔｈａｌｍｏｓｃｏｐｅ）は、撮影光であるレーザーを眼底に対してラスタースキャンを行い、その戻り光の強度から平面画像を高分解能かつ高速に得る装置である。このＳＬＯにおいて、被検眼による収差を波面センサでリアルタイムに測定し、被検眼にて発生する測定光やその戻り光による収差を波面補正デバイスで補正する補償光学系を有する補償光学ＳＬＯ装置（ＡＯＳＬＯ：Ａｄａｐｔｉｖｅ  Ｏｐｔｉｃｓ  ＳＬＯ）が開発されている。これにより、収差の影響を低減した画像を得ることができる。特許文献１においては、広画角なＳＬＯ装置と小画角であるが高解像度なＡＯＳＬＯ装置とを組み合わせた複合装置が提案されている。
【先行技術文献】
【特許文献】
【０００３】
【特許文献１】特開２０１０−２５９５４３号公報
【発明の概要】
【発明が解決しようとする課題】
【０００４】
高精細な画像が得られるＡＯＳＬＯ装置で撮影する場合、収差の測定時と撮影時とでは収差の値が変わってしまう恐れがある。そのため、撮影前の調整を短縮化させることが望ましい。しかしながら、同一の被検物で何回も撮影する場合、通常の撮影のための調整に加えて、前の撮影と同一の部位を測定するような調整が必要であり、手間と時間がかかるという問題があった。
【課題を解決するための手段】
【０００５】
そこで、本発明の実施形態の一つに係る測定装置は、
被検物に照射した測定光の戻り光に基づいて収差を測定する測定装置であって、
前記被検物を撮影するための撮影光を発生させる撮影光源と、
収差を測定するための測定光を発生させる測定光源と、
前記撮影光の光路と前記測定光の光路とを分岐する光路分岐手段と、
前記光路分岐手段に対して前記被検物よりも前記撮影光源の側に設けられ、前記撮影光を前記被検物に合焦させる撮影光合焦手段と、
前記光路分岐手段に対して前記被検物よりも前記測定光源の側に設けられ、前記撮影光合焦手段とは異なる合焦手段であって、前記測定光を前記被検物に合焦させる測定光合焦手段と、
特定の被検物の識別情報に対応する前記撮影光合焦手段の状態を示す情報及び前記撮影光合焦手段とは異なる合焦手段の状態を示す情報を記憶部から取得する取得手段と、
前記撮影光合焦手段の状態を示す情報に基づいて前記撮影光合焦手段を制御し、前記撮影光合焦手段とは異なる合焦手段の状態を示す情報に基づいて前記撮影光合焦手段とは異なる合焦手段を制御する制御手段と、を有することを特徴とする。
また、本発明の実施形態の一つに係る測定装置は、
被検者の被検眼からの戻り光に基づいて収差を測定する測定装置であって、
前記被検眼を撮影するための撮影光を発生させる撮影光源と、
前記撮影光の光路と固視灯の光路とを分岐する光路分岐手段と、
前記光路分岐手段に対して前記被検眼よりも前記撮影光源の側に設けられ、前記撮影光を前記被検眼に合焦させる撮影光合焦手段と、
前記光路分岐手段に対して前記被検眼よりも前記固視灯の側に設けられ、前記撮影光合焦手段とは異なる合焦手段であって、固視灯からの光を前記被検眼に合焦させる固視灯合焦手段と、
特定の被検者の識別情報に対応する前記撮影光合焦手段の状態を示す情報及び前記撮影光合焦手段とは異なる合焦手段の状態を示す情報を記憶部から取得する取得手段と、
前記撮影光合焦手段の状態を示す情報に基づいて前記撮影光合焦手段を制御し、前記撮影光合焦手段とは異なる合焦手段の状態を示す情報に基づいて前記撮影光合焦手段とは異なる合焦手段を制御する制御手段と、を有することを特徴とする。
【発明の効果】
【０００６】
これにより収差を測定する被検物の所望の位置の高横分解能な平面画像を迅速に撮像することができる。
【図面の簡単な説明】
【０００７】
【図１】実施例に係る撮影装置の外観構成を示す図である。図１（ａ）は撮影装置の上面図であり、図１（ｂ）は撮影装置の側面図である。
【図２】実施例に係る撮影装置の光学系の構成を示す図である。
【図３】ＡＯＳＬＯ装置にて用いられる光の波長分布を説明する図である。
【図４】実施例に係る制御装置の構成を示す図である。
【図５】実施例に係る制御ソフト画面を示す図である。
【図６】実施例に係る画像閲覧ソフトの画面を示す図である。
【図７】実施例に係る固視灯の表示画面を示す図である。
【図８】実施例に係るＳＬＯ装置による撮像手順を示すフローチャートである。
【図９】実施例に係る制御の流れを示すフローチャートである。
【発明を実施するための形態】
【０００８】
本発明を実施するための形態を、以下に例示する実施例に基づいて説明する。
【０００９】
実施例の１つに係るＡＯＳＬＯ装置を説明する。
【００１０】
本実施例に係るＡＯＳＬＯ装置では、補償光学系を備え、眼底の高横分解能の平面画像（ＡＯＳＬＯ像）の撮像を行う装置である。この装置においては、被検物に照射したビーコン光（測定光）２０６−３の戻り光に基づいて波面センサ２５５で収差を測定する。更に、収差を測定する測定光２０６−３を発生させるための光源２０１−３と、測定光２０６−３を被検物に合焦させるフォーカスレンズ２３５−１６と、特定の被検物の識別情報にそれぞれ対応するフォーカスレンズ２３５−１６の状態を示す情報等の撮影パラメータを記憶部４１０から取得する撮影パラメータ取得部４０４を有する。そして、フォーカス制御部４０６が、取得された撮影パラメータに基づいて、当該特定の被検物に測定光２０６−３を照射するためにフォーカスレンズ２３５−１６の位置を制御する。
【００１１】
また、ＡＯＳＬＯ像の取得を補助する目的で、広画角の平面画像（ＷＦＳＬＯ像）の撮像を行うＷＦＳＬＯ部、撮影光の入射位置を把握するための前眼部観察部、および撮像箇所を調整するために視線を誘導する固視灯表示部を付随させることができる。
【００１２】
実施例では、補償光学系として空間光変調器を用いて被検眼による光学収差を補正して平面画像を取得することができるため、被検眼の視度や、被検眼による光学収差によらず良好な平面画像が得られる。
【００１３】
ここでは、高横分解能の平面画像を撮像するために、補償光学系を備えているが、高解像度を実現できる光学系の構成であれば、補償光学系を備えていなくてもよい。
【００１４】
＜装置全体構成＞
図１に基づき、本実施例におけるＡＯＳＬＯ装置１０１の外観構成について説明する。図１（ａ）はＡＯＳＬＯ装置１０１を上側から見た上面図であり、図１（ｂ）はＡＯＳＬＯ装置１０１を側面から見た側面図である。
【００１５】
ＡＯＳＬＯ装置１０１は、収差測定用の光源、ＡＯＳＬＯ撮影用の光源やフォーカスレンズ等の光学系を内蔵するヘッド部（測定部）１０２、ヘッド部１０２を水平垂直方向に移動させるステージ部１０３、被検者の顔を乗せ位置を調整する顔受け部１０４、操作画面を表示する液晶モニタ１０５、およびＡＯＳＬＯ装置１０１全体を制御する制御ＰＣ１０６からなる。
【００１６】
ＡＯＳＬＯ装置１０１のヘッド部１０２は、フォーカスレンズ２３５−１６、波面センサ２５５、空間光変調器２５９、光源２０１−１、光源２０１−２、フォーカスレンズ２３５−１０、フォーカスレンズ２３５−１４、ディテクタ２３８−１、ディテクタ２３８−２等と、これらを内蔵するための筐体を有する。またヘッド部１０２はステージ部１０３上に設置され、ジョイスティック１０７を倒すことによって水平方向に、回転させることによって垂直方向に移動できる。顔受け部１０４は、顎を乗せる顎受け１０８（調整部）と顎受け１０８を水平方向、垂直方向、前後方向に移動させる顎受けステージ部１０９からなる。
【００１７】
ステージ部１０３はヘッド部（測定部）１０２の被検物に対する位置を変更する変更部を構成する。ジョイスティックの操作量を制御ＰＣ１０６で検知し、制御ＰＣ１０６から制御される。顎受けステージ部１０９は制御ＰＣ１０６から制御され被検者の頭部を前後方向に動かしフォーカス位置を確保することと、ステージ部１０３で計測光と被検眼の位置合わせを行った後の位置合わせの微調節を行う。
【００１８】
制御ＰＣ１０６は被検者の情報を制御ＰＣ内部データベース、又は外部から通信等を使用し外部データベースとの取得、保存を行う。
【００１９】
＜光学系の構成＞
次に、図２を用いて、ヘッド部１０２に内蔵される光学系について、具体的に説明する。
【００２０】
光源２０１−１から出射した光は、光カプラー２３１によって参照光２０５と撮影光２０６−１とに分割される。撮影光２０６−１は被検物の画像を撮影するための光である。撮影光２０６−１は、シングルモードファイバー２３０−４、空間光変調器２５９、ＸＹスキャナ２１９−１、ダイクロイックミラー２７０−１等を介して観察対象である被検眼２０７に導かれる。空間光変調器を経由することにより、収差が低減された画像を得ることができる。
【００２１】
２５６は固視灯であり、固視灯２５６からの光束２５７は、被検眼２０７の固視あるいは回旋を促す役割を有する。
【００２２】
撮影光２０６−１は、被検眼２０７によって反射あるいは散乱された戻り光２０８となり、光路を逆行し、光カプラー２３１を介して、ディテクタ２３８−１に入射される。ディテクタ２３８−１は、戻り光２０８の光強度を電圧に変換し、その信号を用いて、被検眼２０７の平面画像が構成される。本実施例では、光学系の全体を主にレンズを用いた屈折光学系を用いて構成しているが、レンズの代わりに球面ミラーを用いた反射光学系によっても構成することができる。
【００２３】
また、本実施例では、収差補正デバイスとして反射型の空間光変調器を用いたが、透過型の空間光変調器や、可変形状ミラーを用いても構成することができる。
【００２４】
＜ＡＯＳＬＯ部の光源＞
つぎに、光源（第一の撮影光源）２０１−１の周辺について説明する。光源２０１−１は、代表的な低コヒーレント光源であるＳＬＤ（Ｓｕｐｅｒ  Ｌｕｍｉｎｅｓｃｅｎｔ  Ｄｉｏｄｅ）である。波長は８４０ｎｍバンド幅５０ｎｍである。ここでは、スペックルノイズの少ない平面画像を取得するために低コヒーレント光源を選択している。また、光源の種類は、ここでは、ＳＬＤを選択したが低コヒーレント光が出射できればよくＡＳＥ（Ａｍｐｌｉｆｉｅｄ  Ｓｐｏｎｔａｎｅｏｕｓ  Ｅｍｉｓｓｉｏｎ）等も用いることができる。
【００２５】
また、波長は眼を測定することを鑑みると、近赤外光が適する。さらに、波長は得られる平面画像の横方向の分解能に影響するため、なるべく短波長であることが望ましく、ここでは８４０ｎｍとする。観察対象の測定部位によっては他の波長を選んでも良い。
光源２０１−１から出射された光は、シングルモードファイバー２３０−１と光カプラー２３１とを介して、参照光２０５と撮影光２０６−１とに９０：１０の割合で分割される。２５３は偏光コントローラである。
【００２６】
＜ＡＯＳＬＯ部の参照光路＞
次に、参照光２０５の光路について説明する。
【００２７】
光カプラー２３１によって分割された参照光２０５は、光ファイバー２３０−２を介して、光量測定装置２６４に入射される。光量測定装置２６４は参照光２０５の光量を測定し、撮影光２０６−１の光量をモニタする用途に用いられる。
【００２８】
＜ＡＯＳＬＯ部の撮影光路＞
次に、撮影光２０６−１の光路について説明する。
【００２９】
光カプラー２３１によって分割された撮影光２０６−１は、シングルモードファイバー２３０−４を介してレンズ２３５−１に導かれ、ビーム径４ｍｍの平行光になるよう調整される。
【００３０】
撮影光２０６−１は、ビームスプリッタ２５８−１を通過し、レンズ２３５−５〜６を通過し、空間光変調器２５９に入射される。
【００３１】
次に、撮影光２０６−１は、空間光変調器２５９にて変調され、レンズ２３５−７〜８を通過し、ＸＹスキャナ２１９−１のミラーに入射される。ここでは、簡単のため、ＸＹスキャナ２１９−１は一つのミラーとして記したが、実際にはＸスキャナとＹスキャナとの２枚のミラーが近接して配置され、網膜２２７上を光軸に垂直な方向にラスタースキャンするものである。また、撮影光２０６−１の中心は、ＸＹスキャナ２１９−１のミラーの回転中心と一致するように調整されている。
【００３２】
ここで、Ｘスキャナは撮影光２０６−１を紙面に平行な方向に走査するスキャナであり、ここでは共振型スキャナを用いている。駆動周波数は約７．９ｋＨｚである。またＹスキャナは、撮影光２０６−１を紙面に垂直な方向に走査するスキャナであり、ここではガルバノスキャナを用いている。駆動波形はのこぎり波であり、周波数は３２Ｈｚ、デューティ比は１６％である。Ｙスキャナの駆動周波数は、ＡＯＳＬＯ像の撮像のフレームレートを決定する重要なパラメータである。
【００３３】
ここで、ＸＹスキャナ２１９−１は制御ＰＣ１０６からドライバ部２８１内の光スキャナ駆動ドライバ２８２を介して制御される。
【００３４】
レンズ２３５−９〜１０は、網膜２２７を走査するための光学系であり、撮影光２０６−１を被検眼２０７の瞳孔中心を支点として、網膜２２７をスキャンする役割がある。
【００３５】
ここで、撮影光２０６−１のビーム径は４ｍｍであるが、より高分解能な光画像を取得するためにビーム径はより大径化してもよい。
【００３６】
電動ステージ２１７−１は図２の矢印で図示している方向、即ち光軸方向に移動することができる。これによって電動ステージ２１７−１に固定されたフォーカスレンズ２３５−１０の位置を動かし、フォーカスを調整する。このように、フォーカスレンズ２３５−１０や電動ステージ２１７−１はＡＯＳＬＯの撮影光を被検物に合焦させる合焦部（第一の撮影光合焦部）を構成する。電動ステージ２１７−１は、制御ＰＣ（制御装置、制御部）１０６からドライバ部２８１内の電動ステージ駆動ドライバ２８３を介して制御される。レンズ２３５−１０の位置を調整することで、被検眼２０７の網膜２２７における特定の深さ方向の位置で撮影光２０６−１を合焦させることができる。また、被検眼２０７が屈折異常を有している場合にも対応できる。
【００３７】
撮影光の合焦は、眼底の撮影対象の位置に対して行われればよいため、装置起因の収差、被検眼のディオプター値に加えて、眼底における撮影対象の位置に応じて合焦位置が決定される。合焦位置の設定は後述するＵＩで手動により行っても良いが、例えば専用のフォーカスセンサを設けることにより自動で行うこととすれば調整工程の短縮化が図れる。さらには、図２に示すようにＡＯＳＬＯとは別の撮影光学系（ＷＦＳＬＯ）により得られた画像の輝度値や統計値を用いることで専用のフォーカスレンズがなくとも自動フォーカス制御が可能となる。
【００３８】
撮影光２０６−１は、被検眼２０７に入射すると、網膜２２７からの反射や散乱により、戻り光２０８となり再び光カプラー２３１に導かれ、シングルモードファイバー２３０−３を介してディテクタ２３８−１に到達する。ディテクタ２３８−１は、例えば高速・高感度な光センサであるＡＰＤ（Ａｖａｌａｎｃｈｅ  Ｐｈｏｔｏ  Ｄｉｏｄｅ）やＰＭＴ（Ｐｈｏｔｏｍｕｌｔｉｐｌｉｅｒ  Ｔｕｂｅ）が用いられる。ディテクタ２３８−１は、空間光変調器及び撮影光合焦部を経由した撮影光の被検物からの戻り光を検出して被検物の画像を撮影する撮影部（第一の撮影部）を構成する。
【００３９】
＜ビーコン（収差測定）部及び収差補正部の説明＞
次に、被検眼２０７にて発生する収差を測定するためのビーコン（収差測定）部について説明する。
【００４０】
光源２０１−３から射出された測定光２０６−３は、レンズ２３５−１５〜１６、ダイクロイックミラー２７０−４等を介して観察対象である被検眼２０７に導かれる。被検眼２０７からの戻り光２０８の一部は、ダイクロイックミラー２５８−１、ピンホール２９８を介して、波面センサ２５５に入射され、被検眼２０７で発生する戻り光２０８の収差が測定される。
【００４１】
電動ステージ２１７−３は図２の矢印で図示している方向、即ち光軸方向に移動することができる。これによって電動ステージ２１７−３に固定されたフォーカスレンズ２３５−１６の位置を動かし、フォーカスを調整する。このように、フォーカスレンズ２３５−１６と電動ステージ２１７−３は収差を測定するための測定光２０６−３を被検物に合焦させる合焦部（フォーカス部）として機能する。電動ステージ２１７−３は、ＡＯＳＬＯのフォーカスレンズ２１７−１と同様に、制御ＰＣ（制御装置、制御部）１０６からドライバ部２８１内の電動ステージ駆動ドライバ２８３を介して制御される。
【００４２】
測定光の合焦は眼底に対して行われればよく、装置起因の収差を除けば被検眼のディオプター値に応じて決定される。
【００４３】
波面センサ２５５は、測定光を検出して光路中の収差を測定する収差測定部を構成する。波面センサ２５５は制御ＰＣ１０６に電気的に接続されている。波面センサ２５５は、シャックハルトマン方式の波面センサであり、測定レンジは−１０Ｄ〜＋５Ｄとなっている。得られた収差は、ツェルニケ多項式を用いて表現され、これは被検眼２０７による収差を示している。ツェルニケ多項式はチルト（傾き）の項、デフォーカスの項、アスティグマ（非点収差）の項、コマの項、トリフォイルの項等からなる。なお、光源２０１−３の中心波長は７６０ｎｍ、波長幅は２０ｎｍである。
【００４４】
ここで、測定光２０６−３は、角膜２２６からの反射を避けるために、被検眼２０７の中心から偏心して入射される。これについては図１１および図１２を用いて後述する。またピンホール２９８は、戻り光２０８以外の不要光を遮蔽する目的で設置されており、ピンホール２９８を通過した測定光の戻り光が波面センサ２５５により検出される。これにより被検眼の眼底を経由しない光が検出される可能性を低減することができるため、精度良く収差を測定することができる。更に、上述した測定光の合焦部を設けることにより、ピンホール２９８を適切に通過させ、精度良く収差を測定することができる。
【００４５】
ここで、角膜２２６とＸＹスキャナ２１９−１と波面センサ２５５と空間光変調器２５９とは光学的に共役になるようレンズ２３５−５〜１０等が配置されている。そのため、波面センサ２５５は、被検眼２０７による収差を測定することが可能になっている。
【００４６】
空間光変調器２５９は被検眼２０７または装置の光学系等に起因する収差を補正する収差補正部として機能する。例えば空間光変調器２５９は液晶により光の位相を変調することができるため、測定された収差を打ち消すような状態とすることで収差を補償する。空間光変調器２５９は、制御ＰＣ１０６からドライバ部２８１内の空間光変調器駆動ドライバ２８８を介して状態が制御される。これにより、撮影光２０６−１及びその戻り光は、光路中の収差が補償され低減された状態でディテクタ２３８−１の入射面に結像する。ディテクタ２３８−１は収差の影響が低減された戻り光を検出し、被検物の画像を撮影することができる。
【００４７】
制御ＰＣ１０６は、測定光２０６−３のフォーカスレンズ２３５−１４と、ＡＯＳＬＯの撮影光２０６−１のフォーカスレンズ２３５−１０の状態とを連動させて制御する。フォーカス位置は被検者の視度に応じて変化するが、収差測定の光学系とＡＯＳＬＯの撮影光学系を考慮することにより、各フォーカスレンズの位置を対応付けることができる。つまり、被検者の視度に合わせて一方の光を合焦させることができれば、かかる一方のフォーカスレンズの位置に対応する他方のフォーカスレンズの位置が一意に定まることとなる。係るフォーカスレンズの状態の対応関係を記憶部に記憶させておき適宜参照することにより一方の調整に応じて他方の調整が可能となる。これにより、個別の調整を行う場合に比べ、撮影準備の調整工程の手間及び時間を減らすことができる。
【００４８】
更に、収差測定部として機能する波面センサ２５５からの出力に応じて算出される収差の値には、上述の通りデフォーカスの値が含まれている。制御ＰＣ１０６は、このデフォーカス値に応じて更にＡＯＳＬＯのフォーカスレンズ２３５−１０の位置を制御することができる。かかる２段階の調整により、より詳細な調整を要するＡＯＳＬＯのフォーカスレンズを微調整することができる。
【００４９】
＜ＷＦＳＬＯ部全体＞
ＡＯＳＬＯ装置１０１には、ＡＯＳＬＯよりも広画角の画像を撮影するためのＷＦＳＬＯ部を設けることができる。以下ＷＦＳＬＯ部について説明する。
【００５０】
ＷＦＳＬＯ部は基本的にＡＯＳＬＯ部と同様の構成となっている。重複する部分ついては説明を省略する。
【００５１】
光源（第二の撮影光源）２０１−２から出射した撮影光（ＷＦＳＬＯの撮影光）は、レンズ２３５−２、レンズ２３５−１１〜１４、ＸＹスキャナ２１９−２、ダイクロイックミラー２７０−１〜３等を介して観察対象である被検眼２０７に導かれる。光源２０１−２は、ＡＯＳＬＯ部と同様にＳＬＤである。波長は９２０ｎｍバンド幅２０ｎｍである。
【００５２】
＜ＷＦＳＬＯ部の撮影光路＞
次に、撮影光２０６−２の光路について説明する。
【００５３】
光源２０１−２から射出された撮影光２０６−２は、レンズ２３５−２、レンズ２３５−１１〜１４、ＸＹスキャナ２１９−２、ダイクロイックミラー２７０−１等を介して観察対象である被検眼２０７に導かれる。
【００５４】
ここで、ＸＹスキャナ２１９−２の構成要素であるＸスキャナは、撮影光２０６−２を紙面に平行な方向に走査するスキャナであり、ここでは共振型スキャナを用いている。駆動周波数は約３．９ｋＨｚである。また、Ｙスキャナは撮影光２０６−２を紙面に垂直な方向に走査するスキャナであり、ここでは、ガルバノスキャナを用いている。駆動波形はのこぎり波であり、周波数は１５Ｈｚ、デューティ比は１６％である。Ｙスキャナの駆動周波数は、ＷＦＳＬＯ像のフレームレートを決定する重要なパラメータである。
【００５５】
電動ステージ２１７−２は図２の矢印で図示している方向、即ち光軸方向に移動することができる。これによって電動ステージ２１７−２に固定されたフォーカスレンズ２３５−１４の位置を動かし、フォーカスを調整する。このように、フォーカスレンズ２３５−１４と電動ステージ２１７−２はＷＦＳＬＯの撮影光を被検物に合焦させる合焦部（第二の撮影光合焦部）として機能する。電動ステージ２１７−１は、制御ＰＣ（制御装置、制御部）１０６からドライバ部２８１内の電動ステージ駆動ドライバ２８３を介して制御される。
【００５６】
ここで、撮影光２０６−２のビーム径は１ｍｍであるが、より高分解能な光画像を取得するために、ビーム径はより大径化してもよい。
【００５７】
撮影光２０６−２は、被検眼２０７に入射すると網膜２２７からの反射や散乱により戻り光２０８となりダイクロイックミラー２７０−１〜３、レンズ２３５−１３〜１４、レンズ２３５−２〜４、ＸＹスキャナ２１９−２、ビームスプリッタ２５８−２等を介してディテクタ２３８−２に到達する。このディテクタ２３８−２がＷＦＳＬＯの撮影光２０６−２を検出し、ＡＯＳＬＯ画像よりも画角の広い広画角画像を撮影する撮影部（第二の撮影部）を構成する。
【００５８】
ここで制御ＰＣ１０６は、ＡＯＳＬＯの撮影光２０６−１のフォーカスレンズ２３４−１０と、ビーコン光（測定光）２０６−３のフォーカスレンズ２３５−１６と、ＷＦＳＬＯの撮影光２０６−２のフォーカスレンズ２３５−１４とを連動させて制御する。いずれのフォーカスレンズについても被検眼の視度によりフォーカス位置が変動するが、その他の条件はおおよそ固定されているため、一のフォーカスレンズの位置が定まればその位置に応じて他のフォーカスレンズの位置を決定することができる。これにより、ＡＯＳＬＯと、収差の測定光と、ＷＦＳＬＯとのフォーカスを容易に制御することができる。
【００５９】
＜固視灯部＞
ＡＯＳＬＯ装置１０１には、被検眼に固視させるための固視灯を設けることができる。固視灯２５６は、発光型のディスプレイモジュールからなり表示面（□２７ｍｍ、１２８×１２８画素）をＸＹ平面に有する。ここでは、液晶、有機ＥＬ、ＬＥＤアレイ等を用いることができる。被検眼２０７が、固視灯２５６からの光束２５７を注視することで、被検眼２０７の固視あるいは回旋が促される。固視灯２５６の表示面には例えば図７に示すように、任意の点灯位置２６５に十字のパターンが点滅して表示される。
【００６０】
固視灯２５６からの光束２５７は、レンズ２３５−１７〜１８、ダイクロイックミラー２７０−１〜３を介して網膜２２７に導かれる。また、レンズ２３５−１７、１８は、固視灯２５６の表示面と網膜２２７とが光学的に共役になるよう配置される。また、固視灯２５６は、制御ＰＣ１０６からドライバ部２８１内の固視灯駆動ドライバ２８４を介して制御される。
【００６１】
電動ステージ２１７−４は図２の矢印で図示している方向、即ち光軸方向に移動することができる。これによって電動ステージ２１７−４に固定されたフォーカスレンズ２３５−１８の位置を動かし、フォーカスを調整する。このように、フォーカスレンズ２３５−１８と電動ステージ２１７−４は固視灯の固視標を被検物に合焦させる合焦部（フォーカス部）として機能する。電動ステージ２１７−４は、制御ＰＣ（制御装置、制御部）１０６からドライバ部２８１内の電動ステージ駆動ドライバ２８３を介して制御される。
【００６２】
ここで制御ＰＣ１０６は、ＡＯＳＬＯの撮影光２０６−１のフォーカスレンズ２３４−１０と、ビーコン光（測定光）２０６−３のフォーカスレンズ２３５−１６と、ＷＦＳＬＯの撮影光２０６−２のフォーカスレンズ２３５−１４と、固視灯のフォーカスレンズ２３５−１８を連動させて制御する。これにより、ＡＯＳＬＯと、収差の測定光と、ＷＦＳＬＯと、固視灯のフォーカスを容易に制御することができる。
【００６３】
＜前眼部観察部＞
次に、前眼部観察部について説明する。
【００６４】
前眼部照明光源２０１−４から照射された光は、被検眼２０７を照らし、その反射光がダイクロイックミラー２０７−１、２、４、レンズ２３５−１９、２０を介してＣＣＤカメラ２６０に入射する。光源２０１−４は中心波長７４０ｎｍのＬＥＤである。
【００６５】
＜フォーカス、シャッタ、乱視補正＞
以上のように、ヘッド部１０２に内蔵される光学系は、ＡＯＳＬＯ部、ＷＦＳＬＯ部、ビーコン部、固視灯部、前眼部観察部からなる。この中でＡＯＳＬＯ部、ＷＦＳＬＯ部、ビーコン部、固視灯部はそれぞれ個別に電動ステージ２１７−１〜４を持ち、４つの電動ステージを連動させて動かしている。ただし、個別にフォーカス位置を調整したい場合には、個別に電動ステージを動かすことで調整可能である。
【００６６】
特に、ＡＯＳＬＯ以外のＷＦＳＬＯ部、ビーコン部、固視灯のフォーカスレンズについては、被検眼の視度によって変化するものであるため連動させることができるが、ＡＯＳＬＯについては視度のほか、撮影対象となる被検眼の深さ方向における撮影位置によっても変わる。そこで、ＡＯＳＬＯのフォーカスレンズ２３５−１０については制御ＰＣ１０６からの制御によりその他のフォーカスレンズとは独立に位置を変更できるようになっている。
【００６７】
また、ＡＯＳＬＯ部、ＷＦＳＬＯ部、ビーコン部はそれぞれシャッター（不図示）を備え、シャッタの開閉により個別に被検眼２０７に入射させるか否かを制御できる。ここではシャッタを用いたが、光源２０１−１〜３を直接ＯＮ／ＯＦＦすることにより、制御することもできる。同様に、前眼部観察部、固視灯部についても、光源２０１−４および固視灯２５６のＯＮ／ＯＦＦにより制御可能である。
【００６８】
また、２３５−１０のレンズは交換可能になっており、被検眼２０７による収差（屈折異常）に合わせて球面レンズやシリンドリカルレンズを用いることができる。また１個のレンズに限らず、複数のレンズを組み合わせて設置することも可能である。
【００６９】
＜波長＞
ＡＯＳＬＯ部、ＷＦＳＬＯ部、ビーコン部、固視灯部、前眼部観察部に用いられている光源の波長分布を図３に示す。それぞれの光をダイクロイックミラー２７０−１〜４で分けるために、それぞれ異なる波長帯になるようにしている。なお、図３は各光源の波長の違いを示すものであり、その強度およびスペクトル形状を規定するものではない。
【００７０】
＜画像化＞
次に、撮像画像の構成方法について説明する。
【００７１】
ディテクタ２３８−１において入射された光は、光の強度が電圧に変換される。ディテクタ２３８−１で得られた電圧信号は、制御ＰＣ１０６内のＡＤボード２７６−１にてデジタル値に変換され、制御ＰＣ１０６にて、ＸＹスキャナ２１９−１の動作や駆動周波数と同期したデータ処理が行われ、ＡＯＳＬＯ画像が形成される。ここで、ＡＤボード２７６−１の取り込み速度は１５ＭＨｚである。同様に、ディテクタ２３８−２で得られた電圧信号は、制御ＰＣ１０６内のＡＤボード２７６−２にてデジタル値に変換され、ＷＦＳＬＯ画像が形成される。
【００７２】
＜制御ＰＣの詳細＞
図４に基づき、制御ＰＣ１０６の撮影条件の再利用に関する構成の詳細について説明する。制御ＰＣ１０６は、撮影情報取得部４０１と、撮影パラメータ生成部４０２と、記憶部制御部４０３と、撮影パラメータ取得部４０４と、識別情報取得部４０５と、フォーカス制御部４０６と、顎受け制御部４０７と、アラインメント制御部４０８と、表示制御部４０９と、記憶部４１０ｔを有する。また制御ＰＣ１０６は、ドライバ部２８１、操作部４５１、液晶モニタ１０５と接続されている。ドライバ部２８１には、フォーカスドライバ部としてＡＯＳＬＯフォーカスドライバ部２８３−１、ＷＦＳＬＯフォーカスドライバ部２８３−２、Ｂｅａｃｏｎ（ビーコン）フォーカスドライバ部２８３−３、固視灯フォーカスドライバ部２８３−４を有する。また顎受け制御ドライバ部２８５と、アラインメントドライバ部２８６とを有する。
【００７３】
撮影情報取得部４０１は、ＡＯＳＬＯ装置１０１による撮影に用いられたパラメータを取得する。例えば、フォーカスレンズ２３５−１０，１４，１６、１８の位置、顎受け１０８の位置、ヘッド部１０２の位置などの情報を取得する。また合わせて、撮影対象となる被検者に関する情報も取得する。ここで取得されるは例えば撮影対象の被検者の識別情報、左右眼いずれかを示す情報、その他氏名、年齢等の情報である。
【００７４】
撮影パラメータ取得部４０２は、ここでいう撮影に用いられるパラメータから、記憶部４１０に記憶し次回の撮影に利用するための撮影パラメータを生成する。ここでいう撮影パラメータは、フォーカスレンズ２３５−１０，１４，１６，１８の位置、顎受け部１０８の位置、ヘッド部１０２の位置の少なくともいずれかを含む。例えば、フォーカスレンズの位置を連動制御する場合には、いずれか１つのフォーカスレンズの位置を撮影パラメータとして生成すれば足りる。もちろん上述の全ての情報を撮影パラメータとして記憶させることとすれば、調整の手間が大きく低減されるため有用である。
【００７５】
撮影のための調整が完了してから、実際に撮影が開始され、完了するまでには少なくとも数秒以上の時間がかかると考えられる。ひとつの実施例では、撮影情報取得部４０１は測定開始が指示されたタイミングにおける撮影パラメータを取得する。例えば、ビーコン光（測定光）２０６−３のフォーカスレンズ２３５−１６が継続的にオートフォーカス処理を行う場合には、測定が開始されたタイミングにおけるフォーカスレンズ２３５−１６の位置を撮影パラメータとして生成（選択）する。別の実施例では、測定中や、測定終了後、または画像の記録が完了したタイミングや、撮影の終了を指示したタイミングとしてもよい。
【００７６】
また、制御ＰＣ１０６において、撮影されるハルトマン像またはＷＦＳＬＯやＡＯＳＬＯ画像の画質評価値を継続的にモニタし、撮影パラメータ生成部４０２で特定の基準を満たす状況におけるパラメータに基づいて撮影パラメータを生成することができる。例えば、画質評価値が閾値以上となった際のパラメータの平均値や中央値を撮影パラメータとして記憶部４１０に記憶させることとすれば、精度良く調整させることができる、さらには撮影失敗や満足でない画質となってしまっていたパラメータを用いる状況を減らすことができる。或いは、画質評価値が上位１０％である際のパラメータから撮影パラメータを生成することとしても同様に有用である。
【００７７】
その他撮影パラメータ生成部４０２について、ＡＯＳＬＯやＷＦＳＬＯのフォーカス２３５−１０、１４については、画像の撮影の際の位置から撮影パラメータを生成することができる。またこれに合わせて、撮影の際のビーコン光のフォーカスレンズ２３５−１６の位置から撮影パラメータを生成することとしてもよい。
【００７８】
また、収差測定の工程とＡＯＳＬＯの撮影の工程を分けて行う装置の場合には、記録する撮影パラメータの元データを、異なるタイミングから取得することとしてもよい。例えば収差測定に関連するビーコン光（測定光）２０６−３のフォーカスレンズ２３５−１６については、収差測定の際の位置に基づいて撮影パラメータを生成してもよい。また、撮影に関連するＡＯＳＬＯの撮影光２０６−１のフォーカスレンズ２３５−１０についてはＡＯＳＬＯ画像の撮影の際の位置に基づいて撮影パラメータを生成することとしてもよい。このようにすることで、より適切な撮影パラメータを利用した調整が可能となる。
【００７９】
一方で、リアルタイムに収差測定とＡＯＳＬＯの撮影を同時に行なう場合は、時分割で切り替えながら行う場合には、記憶させる撮影パラメータの元データを略同じタイミングで取得することで、より適切な撮影パラメータを利用した調整が可能となる。
【００８０】
ここで、ビーコン光のフォーカスレンズ２３５−１６の位置や固視灯２５６のフォーカスレンズ２３５−１８の位置については、眼底に合焦させればよいため、被検者の視度の情報が調整の際に考慮すべき要素となる。或いはＷＦＳＬＯのフォーカスレンズ２３５−１４の位置についても、眼底にさえ合焦していればそれ以上の精度は必要ない場合も考えられ、その場合にはＷＦＳＬＯのフォーカスについても視度の情報が主な考慮要素である。
【００８１】
その場合、これらフォーカスレンズについて撮影パラメータとして記憶部４１０に記憶しておく情報を、被検者の視度の情報とすることができる。これにより、関連する複数のフォーカスレンズについての撮影パラメータをまとめることができる。また、微調整を前提にする場合や、手動での調整を検査者にさせる場合には、ＡＯＳＬＯのフォーカスレンズ２３５−１０の位置についても、被検者の視度の情報とすることができる。
【００８２】
ただ、ＡＯＳＬＯのフォーカスレンズ２３５−１０については、被検者の視度に加えてフォーカスさせるべき網膜の深さ方向における位置についても考慮すべき必要がある。そこで、ＡＯＳＬＯのフォーカスレンズ２３５−１０の撮影パラメータの情報としては、視度の情報と別に記憶部４１０に記憶させておくことで対応できる。または、視度の情報と、視度で定まるフォーカスレンズの位置からの差分値の情報とを合わせてフォーカスレンズ２３５−１０の撮影パラメータ（位置を示す情報）とすることができる。この場合には、撮影パラメータ生成部４０２がかかる視度の情報とかかる差分値とを生成し、記憶部制御部４０３が記憶部４１０に被検者の識別情報と関連付けて記憶させる。
【００８３】
記憶部制御部４０３は、生成された撮影パラメータを記憶部４１０に記憶させる。この際に生成された撮影パラメータと、撮影対象の被検者の識別情報を関連付けて記憶させる。識別情報に加えて、得られた画像のサムネイルや、測定された収差値、被検眼の左右の別等の情報も付随させ記憶させておくこともできる。記憶部制御部４０３は制御ＰＣ１０６の内部に設けられている記憶部４１０に撮影パラメータの情報を記憶させることとしたが、制御ＰＣ１０６外や、あるいはＡＯＳＬＯ装置１０１とネットワークを通じて接続される外部のサーバーに記憶させることとしてもよい。
【００８４】
撮影パラメータ取得部４０４は、被検者の識別情報を検索キーとして、識別情報に対応する撮影パラメータを記憶部４１０から取得する。この点で撮影パラメータ取得部４０４は、特定の被検物の識別情報に対応するビーコン光（測定光）のフォーカスレンズ２３５−１６の位置を示す情報を記憶部４１０から取得する取得部を構成する。なお、撮影パラメータ取得部４０４は記憶部制御部４０３を介して記憶部４１０内を検索することとしてもよいが、撮影パラメータ取得部４０４が直接記憶部４１０内を検索し、撮影パラメータを取得することとしてもよい。
【００８５】
識別情報取得部４０５は、操作部４５１にて入力された被検者の識別情報を取得する。個々で識別情報は被検者の名称、性別、及び年齢を組にしたデータでもよいが、重複防止の観点から各被検者に一意に付与されたＩＤ情報を当該識別情報として取得することができる。操作部４５１はたとえば後述する図５に示すＧＵＩやＧＵＩを操作するための操作デバイス或いはタッチパネル部により構成される。
【００８６】
フォーカス位置制御部４０６は、ドライバ部２８１のフォーカスドライバ部２８３−１至４のうち必要なユニットにフォーカスレンズの移動量、移動方向とともにフォーカスレンズを移動させる指示をする。これに応じて各フォーカスドライバ部は対応するフォーカスレンズを動かすための電動ステージ２１７−１〜４を駆動させる。このようにして、フォーカス位置制御部４０６は、取得されたフォーカスレンズ２３５−１６の位置を示す情報に基づいてフォーカスレンズ２３５−１６の位置を制御する。
【００８７】
顎受け制御部４０７は、撮影パラメータ取得部４０４から受け取った撮影パラメータに基づいて顎受け１０８の位置を特定の量特定の方向に動かすための指示信号を顎受けドライバ部２８５に送る。顎受けドライバ部２８５は顎受けステージ部１０９を駆動し、顎受け１０８を指示信号に応じた位置へと移動させる。
【００８８】
アラインメント制御部４０８は、撮影パラメータ４０４から受け取った撮影パラメータに基づいてヘッド部（測定部の筐体）１０２を特定の量特定の方向に動かすための指示信号をアラインメントドライバ部２８６に送る。アラインメントドライバ部２８６はステージ部１０３を駆動し、ヘッド部１０２を指示信号に応じた位置へと移動させる。
【００８９】
このようにフォーカス制御部４０６、顎受け制御部４０７、アラインメント制御部４０８等の制御部は、特定の被検物の識別情報に対応して記憶部４１０に記憶された撮影パラメータの情報に基づくＡＯＳＬＯ装置１０１の制御を行う。これにより、予め準備された撮影条件により容易に調整ができる。
【００９０】
ここで、上記の各制御部は、前回の撮影パラメータに応じた調整の後に微調整を行うこととすれば、前回の撮影からの時間経過による被検者その他の変化に対応することができる。フォーカス制御部４０６は、被検者の識別情報に応じて得られたフォーカスレンズの位置へとフォーカスレンズを移動させた上で、当該位置を初期位置としてフォーカスレンズの合焦位置の探索を開始させる。特に、ＡＯＳＬＯのフォーカスレンズ２３５−１０については他のフォーカスレンズに比べて調整条件が厳しい。フォーカス制御部４０６はＡＯＳＬＯのフォーカスレンズ２３５−１０に限って微調整を指示することができる。その他、ビーコン光（測定光）２０６−３のフォーカスレンズについても、ピンホール２９８を透過するよう調整が必要であるため、微調整のメリットがある。
【００９１】
記憶及び再利用する撮影パラメータはこれに限らず、たとえば収差が測定され、空間光変調器２５９が十分に収差を低減できる状態となった後の空間光変調器２５９の状態を記憶部制御部４０３が記憶部４１０に記憶しておくことができる。同一の被検物の撮影の際にかかる空間光変調器２５９の状態情報を利用して次の撮影に用いることで、ある程度収差が低減された状態で空間光変調器２５９の状態が制御されるため、収差を補正するのに要する時間を低減させることができる。また、ＡＯＳＬＯの撮影範囲を眼底の移動をキャンセルするように動かす追尾を設けた場合には、ＡＯＳＬＯの撮影範囲、正確には深さ方向と直行する方向への撮影範囲も記憶しておくことができる。ＡＯＳＬＯの撮影範囲は、スキャナ２１９−１の位置を変更することにより達成可能である。
【００９２】
その他、表示制御部４０９は、表示部を構成する液晶モニタ１０５に図５、図６に示す制御用のＧＵＩを表示させることができる。
【００９３】
記憶部４１０は制御ＰＣ１０６のメモリであり、記憶部制御部４０３からの指示に応じて被検者の情報や撮影パラメータ等を記憶する。
【００９４】
上述の制御ＰＣ１０６の各部は専用の回路を用いて構成する事もできるが、ソフトウェアと制御ＰＣ１０６のハードウェアを用いて構成する事もできる。この場合、制御ＰＣ１０６のＣＰＵがＲＯＭに記憶されたプログラムをＲＡＭに展開し逐次実行することにより、図４に記載の各部として機能し、かつ図８乃至１０を用いて後述する処理を実現することができる。また、当該プログラムには図５及び図６のＧＵＩを形成する画像データ等も含まれる。ＣＰＵにより実行される指示に基づいて表示部に適切な画像データを表示させる。
【００９５】
＜制御ソフトのＧＵＩ＞
図５、図６に基づいて、表示制御部４０８により液晶モニタ１０５に表示されるＧＵＩを説明する。図５は撮影前の調整を行うためのＧＵＩの例である。実行ボタン５０１は、本装置による撮影を開始するボタンであり、押下により前眼部の撮影光源２０１−４が点灯し、ＣＣＤカメラ２６０による検出され撮影された画像が前眼部モニタ５１２に表示される。ストップボタン５０２は撮影を終了させるためのボタンである。電動ステージボタン５０３は顎受けを移動させるためのボタンであり、Ｘ方向、Ｙ方向，Ｚ方向それぞれに対応するボタンが設けられている。ボタン５０３の押下に応じて顎受け駆動部１０９を微動させることができる。また、ヘッド部１０２をＸ，Ｙ、Ｚ方向に移動させるためのボタンを設けても良い。
【００９６】
フォーカス調整ボタン５０４は、ＡＯＳＬＯの撮影光２０６−１のフォーカスレンズ２３５−１０と、ビーコン光（測定光）２０６−３のフォーカスレンズ２３５−１６と、ＷＦＳＬＯや固視灯がある場合にはそれらのフォーカスレンズとを連動させて移動させるためのボタン（第二の指示部）である。例えばフォーカス調整ボタン５０４に第一の方向にフォーカスレンズを動かすためのボタンと第二の方向にフォーカスレンズを動かすためのボタンを設けることとしてもよい。或いは、フォーカス調整ボタン５０４の押下に応じて自動的なフォーカス探索の開始がトリガされることとしてもよい。
【００９７】
ＷＦＳＬＯ撮影指示ボタン５０５は、ＷＦＳＬＯ画像のＷＦＳＬＯモニタ５１５への画像の表示のＯＮ／ＯＦＦを切り替えるためのボタンである。或いは、ＷＦＳＬＯのスキャナやディテクタの起動、起動停止を指示するボタンであっても良い。ＷＦＳＬＯモニタ５１５への画像の表示と合わせて、ＷＦＳＬＯ強度モニタ５１６にＷＦＳＬＯ画像の強度を示す情報が表示される。例えば、横軸時間、縦軸信号強度でＷＦＳＬＯ部で検出された信号強度が時系列に表示される。ＷＦＳＬＯ画像を記録させたい場合には、ＷＦＳＬＯ記録ボタン５１７を押下する事で記録開始が指示され、これに応じて記憶部４１０にＷＦＳＬＯの動画像が記憶されることとなる。或いは、静止画像または１フレームを記憶する指示ボタンを合わせて設けることとしても良い。さらには、１フレーム分だけを不図示のプリンタで紙媒体等に出力する指示をするためのボタンを設けることとしてもよい。
【００９８】
なお、ＷＦＳＬＯ撮影指示ボタン５０５を押下せずとも、前眼部が像を基準としたアラインメントが完了することに応じて自動的にＷＦＳＬＯの撮影または画像表示を開始することとすれば、操作の手間を減らすことができる。
【００９９】
収差測定ボタン５０６は、ビーコン光（測定光）２０６−３の照射を開始するとともに、波面センサ２５５で得られるハルトマン像を波面センサモニタ５１４に表示させる。また、ハルトマン像から計算された収差が収差補正モニタ５１１に表示される。なお、ハルトマン像の取得と収差の計算までを波面センサ２５５の内部のモジュールで実行されることとするが、別のモジュールを設けてハルトマン像に基づく収差の計算を行うこととしてもよい。波面センサ２５５は得られたハルトマン像について逐次的に収差を計算するため、空間光変調器２５９の状態が制御され収差が低減されると、収差補正モニタ５１１に表示される収差は変動する。
【０１００】
自動フォーカスボタン５２１は、波面センサ２５５で得られたデフォーカス値を用いて、フォーカスレンズ２３５−１０、１４，１６，１８の位置を調整するためのボタン（第三の指示手段）である。かかるボタンの押下に応じて、制御ＰＣのフォーカス位置制御部４０６は４つのフォーカスレンズを連動させて制御する。
【０１０１】
収差補正ボタン５２２を押下することにより、収差量が小さくなるように自動的に空間光変調器２５９の状態が制御される。例えば、収差量が特定の閾値よりも低くなることに応じて、ＡＯＳＬＯの撮影が指示されることとすれば操作の手間が低減され、迅速な撮影が行える。
【０１０２】
収差補正一時停止ボタン５０８は、収差測定ボタン５０６が押下された後、自動的には適切な値まで収差が低減されない場合、収差補正のための探索を一時停止するためのボタンである。
【０１０３】
ＡＯＳＬＯ測定ボタン５０７は、ＡＯＳＬＯの撮影開始を指示するためのボタンである。或いは、ＡＯＳＬＯで撮影された画像の表示開始を指示するためのボタンであってもよい。これに応じて、ＡＯＳＬＯ２０６−１のシャッタが開いて撮影光２０６−１が被検物に照射され、ＡＯＳＬＯモニタ５１８に収差が低減されたＡＯＳＬＯ画像が表示される。また、ＡＯＳＬＯ強度モニタ５１９にディテクタ２３８−１で検出された信号強度を示す情報が表示される。この情報は、ＷＦＳＬＯ強度モニタ５１６で表示される情報と同様に、横軸時間、縦軸信号強度でＷＦＳＬＯ部で検出された信号強度が時系列に表示される。
【０１０４】
深さ調整ボタン５２４は、ＡＯＳＬＯのフォーカスレンズ２３５−１０をその他のフォーカスレンズとは独立に制御するためのボタン（第一の指示部）である。深さ調整ボタン５２４には、第一の方向と第二の方向にフォーカスレンズを移動させるためのボタンがそれぞれ設けられており、各ボタンの押下に応じて、制御ＰＣ１０６のフォーカス位置制御部４０６がフォーカスレンズ２３５−１０の位置を変更することで、ＡＯＳＬＯの深さ方向に対する撮影位置を変更することができる。
【０１０５】
ＡＯＳＬＯ記録ボタン５２０は、ＡＯＳＬＯの記録開始／終了を指示するボタンである。記録開始が指示されてから終了が指示されるまでの間に得られたＡＯＳＬＯの動画像が記憶部４１０に記憶される。
【０１０６】
固視灯位置モニタ５１３は固視灯の位置を表示させる。
【０１０７】
操作条件設定ボタン５２３は、撮影範囲、フレームレート、撮影時間を指定するためのＧＵＩである。それぞれ適切な撮影条件を入力することができる。
【０１０８】
以上、図５に示すＧＵＩに配置されるボタンからの入力は、全て制御ＰＣ１０６に入力され、かかる入力に応じてＡＯＳＬＯ装置の各部が制御される。
【０１０９】
図６は被検者情報を記憶部４１０から取得するための被検者選定画面の例である。表６０１には被検者ＩＤとともに被検者の名称、性別、年齢がリスト形式で並べられている。このリストには、既に一度撮影が行われた被検者の情報と、いまだ撮影が行われていないが撮影予約が入った被検者の情報とが合わせて並べられる。リストに表示される患者情報は、被検者選定画面が起動することに応じて記憶部４１０に記憶された被検者情報を取得する。
【０１１０】
選定ボタン６０２は、撮影を開始する被検者の選定するためのボタンである。ここでリスト中の一の被検者が選択された状態で選定ボタン６０２が押下されると、制御ＰＣ１０６の識別情報取得部４０５は選択された被検者に対応する識別情報を取得する。また撮影パラメータ取得部４０４は、かかる識別情報に対応する撮影パラメータが記憶部４１０に記憶されているか否かを参照する。ここで、識別情報に対応する被検者について、既に１度以上撮影が行われており、かつ被検者の情報と対応付けて撮影パラメータが保存されている場合には、撮影パラメータ取得部４０４がかかる撮影パラメータを記憶部４１０から取得する。なお被検者選定画面の起動時に被検者情報と合わせて対応付けられた撮影パラメータ情報も取得することとしてもよい。そして更にこの場合には、撮影パラメータ情報から過去の撮影履歴の概略や、過去撮影のサムネイル画像も合わせて記憶部４１０から取得し被検者選定画面に表示させることとすれば、検査者に検査の内容を利マインドさせることができるため有用である。さらには、過去に複数の撮影が行われている場合には、それらかこの撮影を撮影カテゴリ別に表示させ、どのカテゴリの撮影を行うかを選択するためのボタンを表示させることとしてもよい。このボタンの押下に応じて、選択された撮影カテゴリに対応する撮影パラメータを取得して次の撮影に用いることとすれば有用である。
【０１１１】
このように、前の撮影に用いられた撮影パラメータを用いて撮影を行うことにより、調整の手間を減らし、かつ被検者の個人差に対応した調整を実行させることができる。
【０１１２】
＜撮像手順＞
次に、本実施例のＡＯＳＬＯ装置における撮像手順について図８及び図５の制御ソフトのＧＵＩを用いて説明する。
【０１１３】
図８に撮像手順を示す。以下に、各工程について詳しく述べる。
【０１１４】
（ステップＳ８０１）  装置を立ち上げ各種確認を行う
制御ＰＣ１０６及びＡＯＳＬＯ装置の電源を入れる。次に、測定用の制御ソフトを起動すると、図５に示す制御ソフト画面が液晶モニタ１０５に表示される。ここで被検者に顔を顔受け部１０４にセットしてもらう。
【０１１５】
（ステップＳ８０２）  被検者情報を取得する
制御ソフト画面の実行ボタン５０１を押すと図６に示す被検者選定画面が表示され表６０１にて被検者を選定し選定ボタン６０２を押し被検者を確定する。
表に被検者の情報がない場合は表６０１に被検者情報を登録する。
【０１１６】
（ステップＳ８０３）  撮影パラメータを検索する
被検者が選定されると、撮影パラメータ取得部４０４は対応する撮影パラメータを検索する。検索の結果、撮影パラメータが取得できない場合には、記憶部４１０から既定の初期値を取得することとしてもよい。あるいは、糖尿病や加齢黄斑変性など診断項目別に初期値を用意しておき、その値を記憶部４１０から取得することとすれば、全快の撮影パラメータが存在せずとも、診断項目に応じた調整を迅速に行わせることができる。
【０１１７】
（ステップＳ８０４）  前眼部画像を取得する
制御ソフト画面の被検眼の左右選択ボタン５０９で右、又は左を選択すると、制御ＰＣ１０６は被検者情報に保存されている選択された眼に対応したステージ部１０３の位置、顎受けステージ部１０９、ＡＯＳＬＯ部、ＷＦＳＬＯ部、ビーコン部、固視灯部のフォーカス用レンズレンズ２３５−１０、１４、１６、１８の各々の電動ステージ２１７−１〜４の位置を呼び出し、その位置に駆動する。これらの位置は前撮像時のステップＳ８１０にて保存された、選択された被検者の前撮像した時の位置であり、初回撮像時は装置のデフォルト値が保存されている。
【０１１８】
各ステージが駆動されたことにより眼部モニタ５１２に前眼部の画像が表示される。画面中央に瞳孔の中心が正しく表示されていない場合は、まずジョイスティック１０７を用いてヘッド部１０２を略正しい位置に動かす。さらに調整が必要な場合は、制御画面上の電動ステージボタン５０３を押し、顎受け駆動部１０９を微動させる。
【０１１９】
（ステップＳ８０５）  ＷＦＳＬＯ像を取得する
略正しい状態で前眼部画像が表示された場合、ＷＦＳＬＯ像がＷＦＳＬＯモニタ５１５に表示される。固視灯位置モニタ５１３で固視灯を中央位置に設定し、被検眼２０７の視線を中心に誘導する。
【０１２０】
次に、ＷＦＳＬＯ強度モニタ５１６を見ながら、フォーカス調整ボタン５０４を調整して、ＷＦＳＬＯ強度が大きくなるように調整する。ここで、ＷＦＳＬＯ強度モニタ５１６には横軸時間、縦軸信号強度でＷＦＳＬＯ部で検出された信号強度が時系列に表示されている。ここで、フォーカス調整ボタン５０４を調整することで、レンズ２３５−１４、１６、１８の位置が同時に調整される。
【０１２１】
ＷＦＳＬＯ像が鮮明に表示された場合、ＷＦＳＬＯ記録ボタン５１７を押して、ＷＦＳＬＯデータを保存する。
【０１２２】
（ステップＳ８０６）  ＡＯＳＬＯ像取得位置を決定する
表示されたＷＦＳＬＯ像を確認し、ＡＯＳＬＯ像を取得したい位置を後述の手段を用いて決める。次に、その位置がＷＦＳＬＯモニタ５１５の中央にくるように被検眼２０７の視線を誘導する。
【０１２３】
ＡＯＳＬＯ像を取得する位置を決める手段は２通りあり、一つは固視灯位置モニタ５１３において固視灯の位置を指示する方法、もう一つはＷＦＳＬＯモニタ５１５において所望の位置をクリックする方法である。ＷＦＳＬＯモニタ５１５上の画素と固視灯の位置を関連付けており、固視灯の位置が自動的に移動し、視線を所望の位置に誘導することができる。
【０１２４】
ＡＯＳＬＯ像を取得したい位置がＷＦＳＬＯモニタ５１５上中央に移動したのを確認して、次の工程に移る。
【０１２５】
（ステップＳ８０７）  収差補正を行う
収差測定ボタン５０６を押すと、ＷＦＳＬＯ撮影光である撮影光２０６−２が遮断され、ビーコン光のシャッタが開いてビーコン光である測定光２０６−３が被検眼２０７に照射される。波面センサモニタ５１４に波面センサ２５５で検出されたハルトマン像が表示される。このハルトマン像から計算された収差が収差補正モニタ５１１に表示される。収差はデフォーカス（ｄｅｆｏｃｕｓ）成分（μｍ単位）と、全ての収差量（μｍＲＭＳ単位）に分けて表示される。ここで、ステップＳ８０４において、ＡＯＳＬＯ撮影光とビーコン光のフォーカスレンズであるレンズ２３５−１０、１６の位置が調整されているため、この工程で収差測定の準備が整っている。具体的には、測定光２０６−３に対する戻り光２０８が、ピンホール２９８をけられることなく通過し、波面センサ２５５に到達する状態になっている。
【０１２６】
ここで自動フォーカスボタン５２１を押すと、デフォーカスの値が小さくなるようにレンズ２３５−１０、１４、１６、１８の位置が自動的に調整される。
【０１２７】
次に収差補正ボタン５２２を押すと、収差量が小さくなる方向に自動的に空間光変調器２５９が調整され、リアルタイムに収差量の値が表示される。ここで、収差量の値が事前に決めておいた閾値（０．０３μｍＲＭＳ）以下になると自動的にＡＯＳＬＯ測定ボタン５０７が押され、次の工程に移動する。ここで、収差量の閾値は任意に設定できる。また、閾値以下にならない場合には、収差補正一時停止ボタン５０８を押し、収差補正を停止したのち、ＡＯＳＬＯ測定ボタン５０７を押すことにより次の工程に移動する。
【０１２８】
（ステップＳ８０８）  ＡＯＳＬＯ像を取得する
ＡＯＳＬＯ測定ボタン５０７が押されると、ビーコン光である測定光２０６−３が遮断され、ＡＯＳＬＯ撮影光２０６−１のシャッタが開いて撮影光２０６−１が被検眼２０７に照射される。ＡＯＳＬＯモニタ５１８に収差補正済みのＡＯＳＬＯ像が表示される。また、ＡＯＳＬＯ強度モニタ５１９に、ＷＦＳＬＯ強度モニタ５１６と同様に、ＡＯＳＬＯ部で検出された信号強度が時系列に表示される。
【０１２９】
信号強度が不十分な場合には、ＡＯＳＬＯ強度モニタ５１９を見ながらフォーカス、顎受け位置を調整し、信号強度が大きくなるように調整する。
【０１３０】
また、撮像条件設定ボタン５２３によって、撮像画角、フレームレート、撮像時間を指定することができる。
【０１３１】
また、深さ調整ボタン５２４を調整して、レンズ２３５−１０を移動させ、被検眼２０７の深さ方向の撮像範囲を調整することができる。具体的には、視細胞層や神経線維層や色素上皮層等の所望の層の像を取得することができる。
【０１３２】
ＡＯＳＬＯ像が鮮明に表示された場合、ＡＯＳＬＯ記録ボタン５２０を押して、ＡＯＳＬＯデータを保存する。その後、撮影光２０６−１は遮断される。
【０１３３】
（ステップＳ８０９）  被検者情報に位置合わせの情報を書き込む
ステージ部１０３の位置、顎受けステージ部１０９、ＡＯＳＬＯ部、ＷＦＳＬＯ部、ビーコン部、固視灯部のフォーカス用レンズレンズ２３５−１０、１４、１６、１８の各々の電動ステージ２１７−１〜４の位置をステップＳ８０３で選択された被検者のステップＳ８０４で選択された被検眼に対し書き込み保存する。
【０１３４】
（ステップＳ８１０）  次の動作を選択する
撮像位置の変更を行う場合にはステップＳ８０６に、左右眼の切り替えを行う場合にはステップＳ８０４に戻る。撮像を終了する場合には、次の工程に移動する。
【０１３５】
（ステップＳ８１１）  終了する
ＳＴＯＰボタン５０２を押すと、制御ソフトが停止する。
【０１３６】
図９は、その他の実施形態に係る撮影制御の流れを示すフローチャートである。この例では多くの調整が自動で行われる。制御の主な主体は上述の図４示した制御ＰＣ１０６を例として説明する。
【０１３７】
ステップＳ９０１で識別情報取得部４０５はＧＵＩ等の操作部４５１から被検者の識別情報を取得する。識別情報は例えば図６に示すＧＵＩにて検査者が選択した被検者のＩＤである。図６に示すＧＵＩは、図５に示すＧＵＩにおける実行ボタン５０１の押下に応じて表示されることとなる。ここで制御ソフトの起動時や前の撮影の終了に応じて自動的に図６のＧＵＩが表示されるよう、表示制御部５０９が制御することとすれば、操作の手間を減らすことができる。
【０１３８】
ステップＳ９０２で撮影パラメータ取得部４０４は記憶部制御部４０３を介して、取得した識別情報に対応する撮影パラメータを検索する。検索の結果撮影パラメータが在ると判定された場合にはステップＳ９０３に進む。
【０１３９】
ステップＳ９０３で撮影パラメータ取得部４０４は前回の撮影に用いられた情報に基づく撮影パラメータを取得する。ここで、複数の撮影パラメータが記憶されていた場合には、例えば操作部４５１を介したユーザの選択入力に応じて一の撮影パラメータが選択される。さらにここで、黄斑の血流解析と、黄斑の視細胞解析と、視神経乳頭の篩状板解析と、を連続で行いたい場合など、複数の撮影を連続して行う場合には、複数の撮影パラメータを取得することができる。この場合、最初に行われるべき撮影の撮影パラメータのみが後述する各制御部に通知され、残りの撮影パラメータセットについては一時メモリに記憶される。
【０１４０】
ステップＳ９０２で検索の結果撮影パラメータを取得できなかった場合にはステップＳ９０４に進み、撮影パラメータ取得部４０４は既定のパラメータを初期値として取得する。
【０１４１】
ステップＳ９０５―Ｓ９１２でフォーカス制御部４０６、顎受け制御部４０７、アラインメント制御部４０８等の各制御部は、過去の撮影パラメータに応じて撮影前の調整を行う。ステップＳ９０５で顎受け制御部４０７は取得された顎受け１０８の位置へと顎受け１０８を移動させる指示を行う。またアラインメント制御部４０８は取得されたヘッド部１０２の位置へとヘッド部１０２を移動させる指示を行う。顎受け制御部４０７の指示に応じて顎受け制御ドライバ部２８５が顎受け駆動部１０９を駆動する。アラインメント制御部４０８の指示に応じてアラインメントドライバ部２８６がステージ部１０３を駆動する。
【０１４２】
ステップＳ９０６で顎受け制御部４０７及びアラインメント制御部４０８は、過去の撮影パラメータに応じた位置へと移動した後に、更に最適な位置へと調整する微調整を行う。かかる微調整は例えば、図５に示す前眼部モニタ５１２に表示される画像を制御ＰＣ１０６により解析し、例えば瞳孔の位置及び大きさが基準に収まるように顎受け１０８及びヘッド部１０２を移動させる。上述のステップＳ９０５は粗調整としての調整であり、本ステップにより微調整を行う。この微調整はステップＳ９０６で開始され、撮影が終了するまでの間は継続して行われることとなる。これは、被検者の動きや、被検眼の固視微動の影響をキャンセルするためのものである。したがって、ステップＳ９０６から撮影が終了するまでの間、各部位の位置は被検物に対して適応的に移動することとなる。この顎受け１０８及びヘッド部１０２の位置と対応させて記憶させ続ける。
【０１４３】
ステップＳ９０７でフォーカス制御部４０６は、被検眼とヘッド部１０２との位置関係が調整された後、取得された位置へとフォーカスレンズ２３５−１０、１４、１６、１８の位置を移動させる指示をする。フォーカス制御部４０６の指示に応じて、ＡＯＳＬＯフォーカスドライバ部２８３−１は電動ステージ２１７−１を移動させる。また、ＷＦＳＬＯフォーカスドライバ部２８３−２は電動ステージ２１７−２を移動させる。また、Ｂｅａｃｏｎフォーカスドライバ部２８３−３は電動ステージ２１７−３を移動させる。そしてまた、固視灯フォーカスドライバ部２８３−４は電動ステージ２１７−４を移動させる。このようにして、前の撮影の撮影パラメータを流用することで、撮影準備時間を短縮することができるとともに、被検者に応じて適応的な調整を容易に行うことができる。
なお、ステップＳ９０６の微調整が開始されると略同時にステップＳ９０７の調整を開始することとすれば、調整時間の短縮が図れる。
【０１４４】
ステップＳ９０８でフォーカスレンズ２３５−１０、１４、１６，１８の粗調整が完了し、微調整を開始する。微調整には、例えば専用のフォーカスセンサを用いて制御ＰＣ１０６が行う。この微調整はステップＳ９０８で開始され、撮影が終了するまでの間は継続して行われることとなる。これは、被検者の動きや、被検眼の固視微動の影響をキャンセルするためのものである。したがって、ステップＳ９０８から撮影が終了するまでの間、各部位の位置は被検物に対して適応的に移動することとなる。このフォーカスレンズの値を、先述の顎受け１０８及びヘッド部１０２の位置と対応させて記憶させておく。
【０１４５】
なお、ステップＳ９０７で開始されるフォーカス調整について、粗調整と微調整という二段階の調整を行わない場合には、Ｓ９０８は省略されうる。
【０１４６】
また、この微調整の開始前か終了後に制御ＰＣ１０６がＷＦＳＬＯの撮影を開始させる。さらにここで、制御ＰＣ１０６はＷＦＳＬＯ画像の画質指標値を算出し、先述のフォーカスレンズの位置と対応させて時系列順に記憶させる。画質指標値は、例えば輝度値の大きさやその平均値等の統計値、コントラスト値などを用いることができる。
ステップＳ９０９で波面センサ２５５にハルトマン像の形成を開始させる。また、得られたハルトマン像を制御ＰＣ１０６で取得する。表示制御部４０７は液晶モニタ１０５の波面センサモニタ５１４にハルトマン像を表示させる。更に、波面センサ２５５は得られたハルトマン像について逐次、収差を計算する。制御ＰＣ１０６は計算された収差を取得する。表示制御部４０７は液晶モニタ１０５の収差補正モニタ５１１に計算された収差を表示させる。収差の計算値が出力されることに応じて、制御ＰＣ１０６はドライバ部２８１の空間光変調器ドライバ２８８を介して空間光変調器２５９の状態を変更する。制御ＰＣ１０６は、計算された収差を低減するように空間光変調器２５９により生ずる位相差を制御する。
【０１４７】
ここで、空間光変調器の制御は、計算により得られる収差のうちデフォーカスの項以外の項に対応して行われる。デフォーカスの項については、フォーカスレンズの位置を変更することで補償する。デフォーカスの値に応じてフォーカス位置制御部４０６はＡＯＳＬＯのフォーカスレンズ２３５−１０の位置を変更する。また、ビーコン光（測定光）のフォーカスレンズ２３５−１６についてもＡＯＳＬＯのフォーカスレンズ２３５−１０の位置と連動させる。
【０１４８】
ここで、制御ＰＣ１０６は得られる収差の値を先述のフォーカスレンズの位置と対応させて時系列順に記憶させる。
【０１４９】
ステップＳ９１０でＡＯＳＬＯの撮影を開始するために、撮影光２０６−１の光源２０１−１の光を遮蔽するシャッタを開き、スキャナ２１９−１を駆動させ、ディテクタ２３８−１に撮影駆動を開始させる。これにより、空間光変調器２５９及びフォーカスレンズ２３５−１０を経由した撮影光２０６−１の戻り光により被検物の画像を撮影する。ＡＯＳＬＯの撮影開始タイミングは、収差の測定及び補正の開始と前後してもよい。
【０１５０】
ここで、制御ＰＣ１０６はＡＯＳＬＯ画像の画質指標値を算出し、先述のフォーカスレンズの位置と対応させて時系列順に記憶させる。画質指標値は、例えば輝度値の大きさやその平均値等の統計値、コントラスト値などを用いることができる。
【０１５１】
ステップＳ９１１乃至９１５は、上述のオートフォーカス制御に加えて、検査者の希望にあわせた手動での調整をするための処理である。制御ＰＣ１０６がフォーカス制御の指示を取得したか否かを判定する。指示がない場合にはステップＳ９１６に進み、指示があった場合にはステップＳ９１２に進む。
【０１５２】
ステップＳ９１２で制御ＰＣ１０６は、ステップＳ９１１で受けた制御指示が、一のフォーカス位置のみを他のフォーカスレンズとは独立に個別に移動させる指示であるか否かを判定する。例えばフォーカス調整ボタン５０４が押下されたことによる制御指示なのか、深さ調整ボタン５２４が押下されたことによる制御指示なのかに基づき判定する。連動させると判定された場合には、ステップＳ９１３で複数のフォーカスレンズを連動させて調整する。連動させると判定されなかった場合には、ステップＳ９１４で個別に調整する。
【０１５３】
ここで、特にＡＯＳＬＯのフォーカス位置を個別に制御し目的とする（深さ方向における）撮影位置へと移動させる処理については、自動で行うこともできる。例えば、視細胞の観察を目的として撮影位置を決める場合には、ＡＯＳＬＯ画像の周波数画像について、視細胞の繰り返しパターンに対応する特定の周波数成分にピークが現れるか否かを判定する。ＡＯＳＬＯのフォーカス位置を動かしながらかかる判定を行うことにより、視細胞画像が得られる位置に自動的にフォーカスを合わせることができる。その他、目的とする撮影位置について特徴的なパターンの出現を判別することにより、フォーカスを自動調整することができる。その他、ビーコン光（測定光）やＷＦＳＬＯのフォーカス位置により、ワーキングディスタンスや眼軸長を考慮した眼底の概略位置を把握することができるため、より脈絡膜側を撮影したい場合には実験的にもとまる特定の値（第一の）だけ深い位置にフォーカスさせる。また硝子体側を撮影したい場合には特定の値（第二の値）だけ浅い位置にフォーカスさせる制御を行う。このように、被検物の深さ方向における撮影位置に応じてフォーカスレンズ２３５−１０の状態を制御することにより、目的とする撮影位置またはそれに近い位置にＡＯＳＬＯのフォーカスを自動的に調整することができる。
【０１５４】
ステップＳ９１５で個別に調整を行うこととした場合、表示制御部４０９は液晶モニタ１０５に連動させて調整した場合からのずれ量を図５に示すＧＵＩに表示させる。これにより、通常の場合とのずれ量を分かりやすく検査者に伝えることができる。
【０１５５】
ステップＳ９１６で制御ＰＣ１０６はＡＯＳＬＯ記録ボタン５２０が押下された旨の入力を待機する。押下されない場合にはステップＳ９１１の手動による調整指示の待機と、記録指示の待機とを繰り返す。なお、収差が基準値以下に低減されたＡＯＳＬＯ画像が得られたことに応じて、制御ＰＣ１０６の制御により自動的に記録開始することで、高精細な眼底画像を容易に得ることができる。また別の例として、常にＡＯＳＬＯ画像を記録しておき、特に指示があった期間以外の期間については記録したＡＯＳＬＯ画像を削除するという処理を適用しても良い。このようにすることで、十分に収差が低減されたＡＯＳＬＯ画像が撮影されているにも関わらず記録指示をせずに記録ができない、といった可能性を減らすことができる。
【０１５６】
ステップＳ９１７で制御ＰＣ１０６は、記録開始の指示に応じて記録を開始させる。
【０１５７】
ステップＳ９１８で制御ＰＣ１０６は、記録終了の指示待ちを行う。記録終了の指示は、ＡＯＳＬＯ記録ボタン５２０が押下され記録状態となっている場合において、再度ＡＯＳＬＯ記録ボタン５２０が押下されることに応じて行われる。ステップＳ９１９で制御ＰＣ１０６は記録終了の指示に応じて、記録を終了する。
【０１５８】
ステップＳ９２０で撮影情報取得部４０１は、撮影された被検者の識別情報とともに、顎受け１０８、ヘッド部１０２、フォーカスレンズ２３５−１０，１４，１６，１８、の位置情報を取得する。そして撮影パラメータ生成部４０２は、閾値以上の画質指標となった際の撮影パラメータ値を平均し、撮影パラメータとする。ＷＦＳＬＯの画質指標やＡＯＳＬＯの画質指標、収差の値は、フォーカスレンズ、顎受け、ヘッド部の位置とともに時系列で記憶しておくこととする。画質指標には、時系列で記憶されるＷＦＳＬＯやＡＯＳＬＯの画質指標を用いることができる。
【０１５９】
ステップＳ９２１で記憶部制御部４０３は、生成された撮影パラメータを被検者の識別情報及び左右眼の情報とともに記憶部４１０に記憶させる。本ステップにて、例えば測定光２０６−３を被検物に合焦させるためのフォーカスレンズ２３５−１６の、収差を測定した際の位置を示す情報を、被検者の識別情報と関連付けて記憶部４１０に記憶させる。また例えば、ＡＯＳＬＯ画像（第一の画像）の撮影する際の、ＡＯＳＬＯ装置１０１のヘッド部（測定部）１０２の位置を示す情報と、顎受け１０８の位置を示す情報と、収差を測定するための測定光２０６３を被検眼に合焦させるためのフォーカスレンズ２３５−１６の状態を示す情報と、ＡＯＳＬＯ画像を撮影するための撮影光２０６−１を合焦させるためのフォーカスレンズ２３５−１０の状態を示す情報と、ＡＯＳＬＯ画像よりも広画角のＷＦＳＬＯ画像（第二の画像）を撮影するための撮影光２０６−２を合焦させるためのフォーカスレンズ２３５−１４の状態を示す情報と、の少なくともいずれかを被検眼の識別情報と関連付けて記憶部４１０に記憶させる。
【０１６０】
これにより、次回の撮影の調整時に記憶された撮影パラメータを利用することができ、撮影準備時間ひいては撮影サイクル時間の短縮につながる。
【０１６１】
その他、上述の実施形態を適宜組み合わせたものについても、本発明の実施形態に含まれる。
【０１６２】
あるいは、本発明の一部をプログラムとハードウェアとの協働により実現する場合も本発明の実施形態に含まれる。プログラムによる実施形態では、図８及び９に示す処理に対応するプログラム、ならびに図５及び６に示す表示画面に対応するプログラムを記憶部４１０に格納しておき、制御ＰＣ１０６のＣＰＵがＲＡＭに展開し、ＣＰＵでプログラムに含まれる指令を実行していくことにより達成される。
【符号の説明】
【０１６３】
１０１  ＡＯＳＬＯ装置
１０２  ヘッド部
１０３  ステージ部
１０４  顔受け部
１０５  液晶モニタ
１０６  制御ＰＣ
【図１】
0006049309.tif 000002
【図２】
0006049309.tif 000003
【図３】
0006049309.tif 000004
【図４】
0006049309.tif 000005
【図５】
0006049309.tif 000006
【図６】
0006049309.tif 000007
【図７】
0006049309.tif 000008
【図８】
0006049309.tif 000009
【図９】
0006049309.tif 000010